(57)【特許請求の範囲】
【請求項１】
空間光変調により画像を表示するために画素を有する液晶表示パネルと、
上記液晶表示パネルにおける第１領域および第２領域と、
上記第１領域および上記第２領域のそれぞれに応じて異なる第１形態および第２形態で液晶層に電界を印加する回路とを備え、
上記第１領域は、電界が上記第１形態で印加されることにより、上記画像を広視野角範囲で視認可能にし、
上記第２領域は、電界が上記第２形態で印加されることにより、上記画像を狭視野角範囲内でのみ視認可能にし、
上記回路は、上記第１形態および上記第２形態において、それぞれ異なる方向の電界を用いて上記液晶表示パネルを動作させ、
上記第１領域に、上記第１形態において上記液晶層の面に平行な方向の電界を印加し、
上記第２領域に、上記第２形態において上記液晶層の面に交差する方向の電界を印加することを特徴とする表示装置。
【請求項２】
上記回路は、当該液晶表示パネルに表示される画像を上記広視野角範囲で視認可能にする第１モードと、上記液晶表示パネルに表示される画像を上記狭視野角範囲内でのみ視認可能にする第２モードとの間で液晶を切り替えることを特徴とする請求項１に記載の表示装置。
【請求項３】
上記第２領域は、上記第２モードにおいて、上記狭視野角範囲外の観察者によって上記画像上で画像撹乱パターンが見えるようにパターニングされていることを特徴とする請求項２に記載の表示装置。
【請求項４】
上記第１領域および上記第２領域は上記第２モードにおいて動作することを特徴とする請求項２に記載の表示装置。
【請求項５】
上記回路は、上記第１形態および上記第２形態の双方においていくつかの上記画素を操作するように上記第２モードにおいて動作可能であることを特徴とする請求項２に記載の表示装置。
【請求項６】
上記画像撹乱パターンは、格子縞模様、文字パターンまたはロゴの少なくとも１つであることを特徴とする請求項３に記載の表示装置。
【請求項７】
各画素は、上記第１領域における少なくとも１つのサブ画素と、領域の上記第２領域における少なくとも１つのサブ画素を含んでいることを特徴とする請求項１に記載の表示装置。
【請求項８】
第１領域および上記第２領域は垂直配向ネマティック領域であることを特徴とする請求項１に記載の表示装置。
【請求項９】
上記回路は、上記第１形態の上記第１領域における面内切り替えと、上記第２形態の上記第２領域における電気制御複屈折切り替えとを用いて上記液晶表示パネルを動作させることを特徴とする請求項１に記載の表示装置。
【請求項１０】
上記回路は、上記面内切り替えを行う第１組の電極と上記電気制御複屈折切り替えを行
う第２組の電極とを有することを特徴とする請求項９に記載の表示装置。
【請求項１１】
上記第１組の電極は、上記液晶表示パネルにおける液晶層に当該液晶層の面に平行な第１方向の電界を印加するために、上記液晶層を間において上記第１方向に対向するように配置されることを特徴とする請求項１０に記載の表示装置。
【請求項１２】
上記第２組の電極は、上記液晶表示パネルにおける液晶層に当該液晶層の面に交差する第２方向に電界を印加するために、上記液晶層を間において上記第２方向に対向するように配置されることを特徴とする請求項１０に記載の表示装置。
【請求項１３】
空間光変調により画像を表示するために画素を有する液晶表示パネルと、
上記液晶表示パネルにおいて上記画像を広視野角範囲で視認可能にするための第１領域と、
上記液晶表示パネルにおいて上記画像を狭視野角範囲内でのみ視認可能にするための第２領域と、
上記第１領域を動作させるための第１電界を上記液晶表示パネルの液晶層に印加する第１組の電極と、
上記第２領域を動作させるための第２電界を上記液晶表示パネルの液晶層に印加する第２組の電極とを備え、
上記第１組の電極および上記第２組の電極は、上記第１領域および上記第２領域にそれぞれ異なる方向の上記第１電界および上記第２電界を用いて上記液晶表示パネルを動作させ、
上記第１組の電極は、上記液晶層の面に平行な第１方向の上記第１電界を上記液晶層に与え、
上記第２組の電極は、上記液晶層の面に交差する第２方向の上記第２電界を上記液晶層に与えることを特徴とする表示装置。
【請求項１４】
上記第２電界は上記画像を狭視野角範囲内でのみ視認可能にすることを特徴とする請求項１３に記載の表示装置。
【請求項１５】
上記第１組の電極は、上記第１領域において面内切り替えを用いて上記液晶表示パネルを動作させ、
上記第２組の電極は、上記第２領域において電気制御複屈折切り替えを用いて上記液晶表示パネルを動作させることを特徴とする請求項１３に記載の表示装置。
【請求項１６】
各画素は、上記第１領域における少なくとも１つのサブ画素と、領域の上記第２領域における少なくとも１つのサブ画素を含んでいることを特徴とする請求項１３に記載の表示装置。
【請求項１７】
上記第１組の電極は、上記液晶表示パネルに表示される画像を広視野角範囲で視認可能にする第１モードに上記液晶層を切り替え、
上記第２組の電極は、上記液晶表示パネルに表示される画像を狭視野角範囲内でのみ視認可能にする第２モードに上記液晶層を切り替えることを特徴とする請求項１３に記載の表示装置。
【請求項１８】
上記第１モードにおいて上記第１領域のみが動作することを特徴とする請求項１７に記載の表示装置。
【請求項１９】
上記第２モードにおいて上記第１領域および上記第２領域が動作することを特徴とする請求項１７に記載の表示装置。
【請求項２０】
上記第２領域は、上記第２モードにおいて、上記狭視野角範囲外の観察者によって上記画像上で画像撹乱パターンが見えるようにパターニングされていることを特徴とする請求項１７に記載の表示装置。
【発明の詳細な説明】
【技術分野】
【０００１】
本発明は、液晶表示パネルを含む表示装置に関するものである。
【背景技術】
【０００２】
コンピュータと併用されるモニタ、電話および携帯情報機器に内蔵されたスクリーンなどの電子表示装置は、通常、できるだけ多くの位置からディスプレイの表示内容を視認できるように、可能な限り視野角を広くする設計がなされている。
【０００３】
しかしながら、ある狭い角度範囲からのみの表示を視認可能とする方が、便利な状況もある。例えば、混雑した場所において、携帯機器に表示された機密文書または個人的文書を読んでいる場合、表示された文書が周囲の人に見られる危険性はできるだけ抑えたい。
【０００４】
したがって、２つの動作モード間で切り替え可能なディスプレイがあると便利である。「パブリック」モードでは、通常使用のために、ディスプレイは広視野角で動作する。「プライベート」モードでは、公共の場においても個人的な情報を読めるように、ディスプレイは狭視野角で動作する。
【０００５】
例えば、特定の安全なウェブページ（例えば銀行のウェブページ）にアクセスしたとき、または特定のＰＩＮ（暗証番号）（例えば銀行口座の暗証番号）をキーボードに入力したときに、ディスプレイは自動的にプライベートモードに切り替わる。プライベートモードでは、画面上にインジケータまたはアイコンが表示されて、プライベートモードが有効であることが示される。
【０００６】
この構想は、ユーザが秘密情報を視認するために用いるさまざまな装置に適用できるが、視認する人を管理することはできない。この種の装置の例としては、携帯電話、携帯態情報端末（ＰＤＡ）、ラップトップコンピュータ、現金自動預入支払機、および電子販売時点情報管理（ＥＰｏＳ）装置などが挙げられる。
【０００７】
表示を視認可能な角度または位置の範囲を制限する数多くの装置が知られている。
【０００８】
米国特許第６,５５２,８５０号には、現金引出機に個人情報を表示する方法が記載されている。現金引出機のディスプレイが発する光は、一定の偏光状態にある。現金引出機とそのユーザ（user）は、シート偏光子（sheet polariser）の大画面に囲まれる。通行人は、ユーザおよび現金引出機を見ることができるが、画面上に表示された情報を見ることができない。
【０００９】
光の方向を制御する方法としては、「ルーバー」フィルムを使用したものがある。このフィルムは、透明な層と不透明な層とが交互に配置されてなり、構造的にベネチアンブラインドと似ている。これらの透明層および不透明層は、フィルムの表面に直交していてもよいし、フィルムの表面に対し、ある角度をなしていてもよい。ベネチアンブラインドと同じく、ルーバーフィルムは、光が層の表面とほぼ平行に進む場合は光を透過させるが、層の表面に広い角度で入射する場合は吸収する。このようなフィルムの生成方法は、ＵＳＲＥ２７,６１７、米国特許第４,７６６,０２３号、および米国特許第４,７６４,４１０号に記載されている。
【００１０】
ルーバーフィルムに似た特性をもつフィルムの生成方法は他にもあり、例えば、米国特許第５,１４７,７１６号および米国特許第５,５２８,３１９号に記載されている。
【００１１】
上記の技術は、表示の視認可能な角度の範囲を制限するのに用いられてもよい。換言すれば、表示を「プライベート」にするのに用いられてもよい。しかし、上記のいずれの技術によっても、プライバシー機能から、広角度範囲で視認できる状態に、簡単に切り替える方法が見出されていない。
【００１２】
（広視野角による）パブリックモードと、（狭視野角による）プライベートモードとの切り替えを可能とした装置を提供する方法は、いくつか知られている。
【００１３】
米国特許出願公開第２００２／０１５８９６７号には、光制御フィルムの使用が記載されている。この光制御フィルムは、ディスプレイの前面を移動してプライベートモードとしたり、表示の背部または側部のホルダ内に機械的に引き込まれてパブリックモードとしたりできるように、ディスプレイに搭載されている。この構成は、故障するか、あるいは破損のおそれのある可動部品を含んでおり、さらにディスプレイがかさばるという不都合がある。
【００１４】
可動部品を使用せず、パブリックモードからプライベートモードに切り替える方法として、光制御フィルムを表示パネルの背部に実装し、光制御フィルムとパネルの間に電子的に切り替え可能な拡散板を配置する方法がある。拡散板がオフ状態のとき、光制御フィルムは視野角の範囲を制限し、ディスプレイはプライベートモードとなる。拡散板がオン状態のとき、光は広い角度にわたって進み、パネルを透過し、ディスプレイはパブリックモードとなる。光制御フィルムをパネルの前面に実装し、切り替え可能な拡散板を光制御フィルムの前面に配置しても、同様の効果が得られる。
【００１５】
切り替え可能なこの種のプライバシー装置（privacy device）は、米国特許第５，８３１，６９８号、米国特許第６，２１１，９３０号、および米国特許第５，８７７，８２９号に記載されている。これらの装置に共通にみられる欠点として、表示がパブリックモードまたはプライベートモードのいずれであるに関わらず、光制御フィルムが入射する光の大部分を吸収してしまうことがある。それゆえ、この表示では光の利用効率が悪い。パブリックモード時には、光は拡散板によって広い角度にわたって拡散されるため、バックライトを補正して輝度を上げない限り、プライベートモード時よりもパブリックモード時の方が暗い表示となる。
【００１６】
この種の装置には、消費電力に関わる欠点もある。パブリックモードでの動作中、拡散板はオフ状態である。これは、切り替え可能なポリマ散布液晶拡散板に電圧が印加されることを意味していることが多い。したがって、プライベートモード時よりもパブリックモード時の方が、電力消費が多くなる。このことは、ほとんどの時間をパブリックモードで使用するディスプレイには欠点である。
【００１７】
パブリック・プライベート切り替え型ディスプレイを提供する方法として、米国特許第５,８２５,４３６号には、よく知られた別の方法が開示されている。この光制御装置は、上述のルーバーフィルムと構造的には似ている。しかし、ルーバーフィルムにおける不透明な各素子は、不透明な状態から透明な状態に電子的に切り替わる液晶セルによって置き換えられる。この光制御装置は、表示パネルの前部または背部に配置されており、セルが不透明である場合はプライベートモードの表示に、セルが透明である場合はパブリックモードの表示になる。
【００１８】
この方法は、液晶セルを適切な形状に製造する難しさと、その費用に問題がある。また、プライベートモード時においては、光束がまず透明材を通過するようにある角度で入射し、その後液晶セルの一部を通過する。このような光束は液晶セルによって完全には吸収されず、表示のプライバシー保護機能を損なうこともある。
【００１９】
パブリック・プライベート切り替え型表示装置の製造方法として、特許第３６０７２７２号に別の方法が開示されている。この装置は、液晶パネルとしてさらに、液晶の配向がパターン化されたパネルを付加して使用している。パネルにおいて異なる配向が施された区画によって、それぞれ別の方法で、異なる表示領域の視認特性を変更する。その結果、表示パネル全体が、中心位置からのみ、完全に読み取り可能となる。
【００２０】
英国特許出願公開第２４０５５４４号および特開２００５−０７８０９３号公報には、ルーバーの動作に基づいて切り替え可能なプライバシー装置について記載されている。このルーバーは、光の偏光だけに応じて動作する。ルーバーのオン・オフの切り替えは、そのルーバーそのものにおける着色液晶分子、または、別の素子を用いて入射光の偏光面を回転させることによって行われる。
【００２１】
視認角度がパブリックモードとプライベートモードとで切り替えが可能な表示装置に用いられるバックライトについて、英国特許出願公開第２４１０１１６号（国際公開第２００５／０７１４４９号）には、さまざまな形態が開示されている。この文献には、さらに、この分野において知られる装置や技術についても記載されている。
【００２２】
切り替え可能なプライバシー装置については、英国特許出願公開第２４１３３９４号（米国特許出願公開第２００５／０２４３２６５号）に、表示パネルに１つ以上の液晶層と偏光子をさらに付加した構成が開示されている。これらの付加された素子が内的にもつ視野角依存性は、液晶を電気的に切り替えることによって変化させることができる。
【００２３】
米国特許出願公開第２００３／０１４６８９３号には、偏光修正層（ＰＭＬ）が開示されている。このＰＭＬは、液晶表示パネルの出射側偏光子の背部に配置され、部分的に透明になっている。ある部分では、その部を介して視認される画素の色が反転するように（明るい画素は暗く、暗い画素は明るくなるように）、透過する光の偏光が変わる。この部分のすぐ背部にある画素に送られるデータは反転され、表示を中央の位置から視認する場合に正常な画像の表示を可能にしている。しかし、異なる方角から表示を視認する場合、遅延板を介して異なる画素を視認するため、画像が正常に表示されない。例えば、軸外にいる視聴者は、ランダムドットパターンのような錯乱した画像を視認することになる。このＰＭＬは液晶から作られ、オフ状態でパブリックモードとするものであってもよい。
【００２４】
英国特許出願公開第２４１８５１８号には、パターン化された電極を備えたゲストホスト（着色）液晶層を、標準的なＴＦＴ液晶ディスプレイに付加した装置が開示されている。着色液晶層は、吸収（プライベート）状態と非吸収（パブリック）状態とで切り替えられる。着色分子の吸収は、光の入射角と偏光に依存する。所定の偏光および配向を得るために、この着色の吸収は視野角が大きいほど増大し、その結果、狭角度（狭モード）で低輝度となる。
【００２５】
英国特許出願０５１０４２２．９号には、プライバシー機能と３次元機能との組み合わせが開示されている。この３次元機能は、１つの切替セルを付加することにより実現される。このディスプレイには、広モード、プライベートモード、および３次元モードの、３つの動作状態がある。この出願には、パターン化された液晶配向およびパターン化されていない液晶配向の両方について、例示がなされている。
【００２６】
プライバシー機能を設けるためにホログラムを使用するという概念は、英国特許出願公開第２４０４９９１号（米国特許出願公開第２００５／００６３０２９号）に初めて記載された。しかし、ディスプレイからの光がホログラムにより不要に散乱するため、視認される画像の色に影響を与えてしまう。さらに、表示装置の前面に実装されたタッチスクリーンを用いたものとしては、ホログラムによる光の照射をユーザの手で遮ることにより、プライベートモードの効率を下げることができる。
【００２７】
英国特許出願第０５１１５３６．５号には、さらに付加した液晶層の使用が開示されている。この液晶層はＬＣＤパネルの偏光子間に位置し、そのため、付加した切り替えセルによって、軸外の光の階調カーブを修正することが可能となっている。その結果、例えば、英国特許出願公開第２４１３３９４号（米国特許出願公開第２００５／０２４３２６５号）に開示されている技術と比べ、画像のプライバシーをより高い水準で保護することが可能となる。
【００２８】
米国特許第５,１０９,２１９号には、デジタル視角パラメータを、アナログバイアス電圧に変換して液晶に印加することにより、液晶ディスプレイの視野角を制御する方法が記載されている。しかし、この技術は表示装置の視野角特性を変更するだけで、広角度にわたる画像を隠すことはできない。
【００２９】
米国特許第５,９３６,５９６号、特開２００３−２９５１６０号公報および米国特許出願公開第２００６／０１２６１５６には、液晶ディスプレイにおいて、画素に印加する電圧の範囲を変えることにより視野角を変えることが記載されている。ルックアップテーブルを使用し、狭視野角モードと広視野角モードとで表示が切り替えられる。しかし、狭モード時において、画像を歪ませるために階調マッピングを変更するだけで、この方法では、表示された情報を隠すことはない。
【００３０】
M. Dogruel, “A Method for Concealment of Displayed Data”, Displays, vol. 24, no. 3, October 2003には、人の目によって視認できる速度より速いレートで、画像とその反転画像を連続的に表示することにより、ディスプレイ上の表示データを隠す方法が記載されている。通常、何気ない観察者の目は、画像を平均化してしまうので、一様に灰色の表示画面を見ることになる。ユーザがプライベート画像を見るためには、表示に同期して閉じるシャッター式眼鏡を着用することにより、反転画像を遮らなければならない。この方法には、いくつもの欠点がある。まず、ユーザは、正しい画像を観察するためには、眼鏡を着用しなければならない。第２に、ディスプレイの画面にわたり歯状の物体を動かすことにより、無効にする画像を部分的に隠すため、画像のプライバシー保護が損なわれることになる。第３に、２つの画像を完全に無効にすることは難しいため、ゴースト画像が観察されることになる。この論文には、第３の画像を付加して画像を区別のつかない状態にすることについても述べられている。しかし、このためには、ディスプレイは通常の映像速度の３倍の速度で動作しなければならない。
【００３１】
Rocket Software（有）（http://www.rocketsoftware.com）は、液晶表示ディスプレイの固有特性を利用することにより、あるレベルのプライバシーを提供するソフトウェアを開発した。このソフトウェアは、画像全体を特別なターニングを施すことにより、ディスプレイに送信される画像を修正し、画像の階調またはコントラストを低下させるものである。ディスプレイがもつ非線形応答性により、画像は軸上で観察される場合はわずかに乱れるが、軸外で観察される場合はコントラストのパターニングが強調される。しかしながら、この方法では、軸上での表示性能にある程度の影響が及ぶことは避けらず、また、プライベートモードで表示装置を使用する場合、認可されたユーザにも乱れたパターンが視認されることになる。実際、パターニングは、軸外のプライバシーについては十分なレベルを設けることには不足している。
【００３２】
国際公開第０３／０１５４２４号には、受動型複屈折レンズと切り替え可能な偏光子とを備えた光切替装置が開示されている。偏光子の切り替えにより、光はさまざまな方向に出射され、拡散される。しかし、このレンズは、この状態においては、光が結像する角を区別しない。
【００３３】
米国特許第６,３６９,９４９号には、光学的に異方性のあるマイクロレンズウィンドウが開示されている。この特許に開示された画像形成素子は切り替え可能ではない。このため、この技術を利用した装置は、パブリックモードとプライベートモードとの切り替えを行えない。
【００３４】
英国特許出願公開第２４１０３３９号には、偏光光学変換システムにおいて、複数列に配列された、偏光高感度レンズの使用が開示されている。
【００３５】
特開平０９−２３０３７７号公報および米国特許第５,８４４,６４０号には、１つの層からなるＬＣＤパネルの視野角特性を変更する方法が記載されている。この方法は、垂直配向型ネマティック（ＶＡＮ）液晶モードにより実現される。表示パネルの面内における電界を利用することにより、画素領域の液晶材料の傾斜が制御される。一画素内で、異なる方向に傾斜するドメインの数は、面内電界によって制御することができる。複数の傾斜ドメインを有する画素は広視野角を備え、１つの傾斜ドメインを有する画素は狭視野角を備える。しかし、ＶＡＮモードにおいて１つの傾斜ドメインを有する視野角は、一般に、良好なプライベートモードを得るには十分狭くない。
【００３６】
特許第３４０５９７２号には、パターン化されたＬＣ配向を用いて狭視野角モードのＬＣＤを提供する単一の液晶パネルが開示されている。しかしながら、この狭視野角モードが固定されているので、広視野角モードは存在しない。
【先行技術文献】
【特許文献】
【００３７】
【特許文献１】ＵＳＲＥ２７,６１７
【特許文献２】米国特許第４,７６６,０２３号
【特許文献３】米国特許第４,７６４,４１０号
【特許文献４】米国特許第５,１４７,７１６号
【特許文献５】米国特許第５,５２８,３１９号
【特許文献６】米国特許出願公開第２００２／０１５８９６７号
【特許文献７】米国特許第５，８３１，６９８号
【特許文献８】米国特許第６，２１１，９３０号
【特許文献９】米国特許第５，８７７，８２９号
【特許文献１０】米国特許第５,８２５,４３６号
【特許文献１１】英国特許出願公開第２４０５５４４号
【特許文献１２】特開２００５−０７８０９３号公報
【特許文献１３】国際公開第２００５／０７１４４９号
【特許文献１４】米国特許出願公開第２００５／０２４３２６５号
【特許文献１５】米国特許出願公開第２００３／０１４６８９３号
【特許文献１６】英国特許出願公開第２４１８５１８号
【特許文献１７】英国特許出願０５１０４２２．９号
【特許文献１８】米国特許出願公開第２００５／００６３０２９号
【特許文献１９】英国特許出願第０５１１５３６．５号
【特許文献２０】米国特許第５,１０９,２１９号
【特許文献２１】米国特許第５,９３６,５９６号
【特許文献２２】特開２００３−２９５１６０号公報
【特許文献２３】国際公開第０３／０１５４２４号
【特許文献２４】米国特許第６,３６９,９４９号
【特許文献２５】英国特許出願公開第２４１０３３９号
【特許文献２６】特開平０９−２３０３７７号公報
【特許文献２７】米国特許第５,８４４,６４０号
【特許文献２８】特許第３４０５９７２号
【特許文献２９】欧州特許出願公開第０８５６１６４号
【特許文献３０】米国特許第６，５４９，２５５号
【非特許文献】
【００３８】
【非特許文献１】M. Dogruel, “A Method for Concealment of Displayed Data”,  Displays, vol. 24, no. 3, October 2003
【非特許文献２】Kim et al., “Surface alignment bistability of nematic liquid crystals by orientationally frustrated surface patterns”, Applied Physics Letters, Vol 78, Is 20 (2001) 3055
【非特許文献３】“Controllable alignment of nematic liquid crystals around microscopic posts: Stabilization of multiple states” Applied Physics Letters, Vol 80, Is 19 (2002) 3635
【非特許文献４】“Color and Light in Nature”, D. Lynch & W Livingston, Cambridge University Press, 1995
【非特許文献５】Kitson and Geisow, “Controllable alignment of nematic liquid crystals around microscopic posts: Stabilization of multiple states” Applied Physics Letters, Vol 80, Is 19 (2002) 3635
【発明の概要】
【課題を解決するための手段】
【００３９】
本発明の第１の表示装置は、空間光変調により画像を表示するために画素を有する液晶表示パネルと、上記液晶表示パネルにおける第１領域および第２領域と、上記第１領域および上記第２領域のそれぞれに応じて異なる第１形態および第２形態で液晶層に電界を印加する回路とを備え、上記第１領域が、電界が上記第１形態で印加されることにより、上記画像を広視野角範囲で視認可能にし、上記第２領域が、電界が上記第２形態で印加されることにより、上記画像を狭視野角範囲内でのみ視認可能にすることを特徴としている。
【００４０】
第１の表示装置において、上記回路は、当該液晶表示パネルに表示される画像を上記広視野角範囲で視認可能にする第１モードと、上記液晶表示パネルに表示される画像を上記狭視野角範囲内でのみ視認可能にする第２モードとの間で液晶を切り替えてもよい。
【００４１】
第１の表示装置において、上記第２領域は、上記第２モードにおいて、上記狭視野角範囲外の観察者によって上記画像上で画像撹乱パターンが見えるようにパターニングされていてもよい。
【００４２】
第１の表示装置において、第１領域および上記第２領域は上記第２モードにおいて動作してもよい。
【００４３】
第１の表示装置において、上記回路は、上記第１形態および上記第２形態の双方においていくつかの上記画素を操作するように上記第２モードにおいて動作可能であってもよい。
【００４４】
第１の表示装置において、上記画像撹乱パターンは、格子縞模様、文字パターンまたはロゴの少なくとも１つであってもよい。
【００４５】
第１の表示装置において、各画素は、上記第１領域における少なくとも１つのサブ画素と、領域の上記第２領域における少なくとも１つのサブ画素を含んでいてもよい。
【００４６】
第１の表示装置において、上記回路は、上記第１形態および上記第２形態において、印加電界のそれぞれ異なる範囲を用いて上記液晶表示パネルを動作させもよい。
【００４７】
第１の表示装置において、上記回路は、上記第１形態および上記第２形態において、それぞれ異なる方向の印加電界を用いて上記液晶表示パネルを動作させてもよい。
【００４８】
第１の表示装置において、第１領域および上記第２領域は垂直配向ネマティック領域であってもよい。
【００４９】
第１の表示装置において、上記回路は、上記第１形態の上記第１領域における面内切り替えと、上記第２形態の上記第２領域における電気制御複屈折切り替えとを用いて上記液晶表示パネルを動作させてもよい。
【００５０】
第１の表示装置において、第１領域および上記第２領域は上記第２モードにおいて動作してもよい。
【００５１】
第１の表示装置において、上記第１組の電極は、上記液晶表示パネルにおける液晶層に当該液晶層の面に平行な第１方向の電界を印加するために、上記液晶層を間において上記第１方向に対向するように配置されてもよい。
【００５２】
第１の表示装置において、上記第２組の電極は、上記液晶表示パネルにおける液晶層に当該液晶層の面に交差する第２方向に電界を印加するために、上記液晶層を間において上記第２方向に対向するように配置されてもよい。
【００５３】
本発明の第２の表示装置は、空間光変調により画像を表示するために画素を有する液晶表示パネルと、
上記液晶表示パネルにおいて上記画像を広視野角範囲で視認可能にするための第１領域と、上記液晶表示パネルにおいて上記画像を狭視野角範囲内でのみ視認可能にするための第２領域と、上記第１領域を動作させるための第１電界を上記液晶表示パネルの液晶層に印加する第１組の電極と、上記第２領域を動作させるための第２電界を上記液晶表示パネルの液晶層に印加する第２組の電極とを備えていることを特徴としている。
【００５４】
第２の表示装置において、上記第１組の電極は、上記第１電界を上記液晶層の面に平行な第１方向に上記液晶層に与え、上記第２組の電極は、上記第２電界を上記液晶層の面に交差する第２方向に上記液晶層に与え、上記画像を狭視野角範囲内でのみ視認可能にするための第２電界を与えてもよい。
【００５５】
第２の表示装置において、上記第１組の電極は、上記第１領域において面内切り替えを用いて上記液晶表示パネルを動作させ、上記第２組の電極は、上記第２領域において電気制御複屈折切り替えを用いて上記液晶表示パネルを動作させてもよい。
【００５６】
第２の表示装置において、上記第１電界および上記第２電界は、それぞれ異なる電圧範囲で設けられてもよい。
【００５７】
第２の表示装置において、各画素は、上記第１領域における少なくとも１つのサブ画素と、領域の上記第２領域における少なくとも１つのサブ画素を含んでいてもよい。
【００５８】
第２の表示装置において、上記第１組の電極は、上記液晶表示パネルに表示される画像を広視野角範囲で視認可能にする第１モードに上記液晶層を切り替え、上記第２組の電極は、上記液晶表示パネルに表示される画像を狭視野角範囲内でのみ視認可能にする第２モードに上記液晶層を切り替えてもよい。
【００５９】
第２の表示装置において、上記第１モードにおいて上記第１領域のみが動作してもよい。
【００６０】
第２の表示装置において、上記第２モードにおいて上記第１領域および上記第２領域が動作してもよい。
【００６１】
第２の表示装置において、上記第２領域は、上記第２モードにおいて、上記狭視野角範囲外の観察者によって上記画像上で画像撹乱パターンが見えるようにパターニングされていてもよい。
【図面の簡単な説明】
【００６２】
【図１】本発明の第１の実施形態を示すものであり、広視野モードおよび狭視野モードの動作時における表示パネルの側面図である。
【図２】第１の実施形態の動作を説明するためのチャートである。
【図３】第２の実施形態の動作を説明するのに用いられる表示装置を示すブロック図である。
【図４】広視野モードおよび狭視野モードの動作を示す、第２の実施形態において用いられる表示パネルの平面図である。
【図５】第２の実施形態の第１例に係る動作を示すフローチャートである。
【図６】第２の実施形態のデータ値の変更を示す概略図である。
【図７】（Ａ）は第２の実施形態におけるデータ値と輝度の直線的な関係を示すチャートであり、（Ｂ）は第２の実施形態におけるデータ値と輝度の非直線的な関係を示すチャートである。
【図８】第２の実施形態の第１例における、原画像およびマスキング画像の倍率変更を示すものである。
【図９】第２の実施形態の第１例における、原画像およびマスキング画像の合成を示すものである。
【図１０】第２の実施形態の第２例おける、マスキング画像の倍率変更を示すものである。
【図１１】（Ａ）ないし（Ｃ）は第２の実施形態において用いられる、さまざまな修正データ値の配置を示すものである。
【図１２】第２の実施形態における、マスキング画像上での急激な変化によって生じうる効果を示すものである。
【図１３】本発明の第３の実施形態を示すものであり、広視野モードおよび狭視野モードの動作時における表示パネルの平面図および側面図である。
【図１４】（Ａ）および（Ｂ）は本発明の第４の実施形態の表示パネルについて軸上および軸外のそれぞれの階調応答性を示す概略図である。
【図１５】第４の実施形態において用いられる表示パネルの構成を示す図である。
【図１６】図１５の表示パネルについての軸上および軸外の階調応答性を示すグラフである。
【図１７】（Ａ）および（Ｂ）は第４の実施形態において用いられる２つの電圧値範囲のそれぞれについての視野角依存性を示すものである。
【図１８】（Ａ）および（Ｂ）は本発明の第５の実施形態を示すものである。
【図１９】（Ａ）および（Ｂ）は本発明の第６の実施形態を示すものである。
【図２０】第６実施形態における補助電極の使用について示すものである。
【図２１】本発明の第７の実施形態を示すものである。
【図２２】本発明の第８の実施形態を示すものである。
【図２３】第８の実施形態の動作を示すものである。
【図２４】本発明の第８の実施形態におけるパターン化された電極の千鳥配列を示すものである。
【図２５】第８の実施形態における軸外に見られる輝度差を示すものである。
【発明を実施するための形態】
【００６３】
図１は、本発明の第１実施形態における、液晶表示パネル１００を備える表示装置を示す。液晶表示パネル１００は、液晶材料１０５の層を間に挟む対向電極１０１，１０３を用いて、空間光変調で画像を表示する。電極１０３はセグメント化されており、これにより、一画素中で液晶を２つ以上の配向に切り替えることができる。一画素中において、セグメント化電極１０３の全ての領域に、同じ電圧が印加される。２つ以上の配向の領域が、一画素中に複数あることが望ましい。配向の切替は、セグメント化電極１０３の端部で生成される弱電界によって制御される。弱電界は、電極表面の突起などによって生成されてもよい。
【００６４】
以下で詳述するように、液晶表示パネル１００は、さらに、面内電極として回路１０７を含み、これによって液晶１０５を、第１（パブリック，広）モードの第１配置Ｃ１と第２（プライベート，狭）モードの第２配置Ｃ２との間で切り替える。第１配置Ｃ１では、パネル１００が表示する画像を、視野角内の広い範囲の観察者が視認できる。一方、第２配置Ｃ２では、パネル１００が表示する画像を、視野角内の狭い範囲の観察者のみが視認できる。図１に示すように、第１実施形態の表示装置は、１つの液晶表示パネル１００のみを有する。本実施形態において、２つの動作モードの切換は、パネル１００以外の光学部品や層を設けなくても実現可能である。
【００６５】
図１の左部分は、第１（広）動作モードの第１配置Ｃ１の好適な一例を示す。この例の第１配置Ｃ１は、一画素内において、それぞれ違った液晶配向の２つ以上の領域あるいは範囲（以降領域と称する）を有する。図示されているのは４つのそれぞれ異なる領域Ｒ１〜Ｒ４である。領域Ｒ１とＲ３とは第１液晶構成を有し、領域Ｒ２とＲ４とは、第１液晶構成とは異なる第２液晶構成を有する。図１において、１つの画素はこれら４つの領域Ｒ１〜Ｒ４からなる。
【００６６】
第１配置では、液晶は略均等な第１液晶配向を有し、一方、第２配置では、液晶は、第１液晶配向とは異なる、略均等な第２液晶構成を有する。第１配向と第２配向とは組になっている。また、第１配向と第２配向とは表示パネル１００の法線に関して略対称である。図１の例では、第１液晶配向は、２ドメイン垂直配向ネマチック（ＶＡＮ）構成である。
【００６７】
第１（広）モードにおいて、面内電極１０７は、液晶層１０５の略面内に電界を形成するために用いられる。これを実現するために、電圧Ｖ２を、隣接する面内電極１０７を通じて印加する。電圧Ｖ２は、通常電圧Ｖ１より低い。これらの面内電界が、セグメント化電極１０３からの弱電界の効果を上回り、図１の右側に示されるように、より大きな面積を持つ領域Ｒ５、Ｒ６を有する第２配置Ｃ２に、液晶層を切り替える。領域Ｒ５とＲ６とはそれぞれ異なる液晶配列を有するが、２種類の、互いに異なっており、それぞれ略一様な液晶配向を有する。２種類の互いに異なった配向は、表示パネル１００に関して略対称に配置されている。
【００６８】
第２（狭）モードの領域Ｒ５，Ｒ６は、観察者が解像するのに充分な大きさを持ち、例えば１ミリ角の大きさであって、通常画素よりもずっと大きい。よって、以下でさらに詳しく記述するように、領域Ｒ５，Ｒ６の効果は、軸外に位置する観察者からもはっきりと視認できる（一方、該領域の効果は軸上の観察者からは視認できない）。第２（狭）モードの領域Ｒ５、Ｒ６は、第２（狭）モードにおいて、軸外の観察者に対して領域下の画像が不鮮明になるようなパターンを生じさせるべく、設けられている。そのようなパターンの一例は格子縞模様であるが、これ以外に適切なパターンが用いられてもよい。
【００６９】
第１実施形態の機能を図２を用いてさらに説明する。図２の曲線１は、パネルに垂直な方向について測定された、単一ＶＡＮ領域の視野角、つまり、単一液晶配向の視野角の関数としての透過率を示す。斜め透過率は、液晶分子の軸外配向により、軸上方向について非対称となっている。
【００７０】
曲線１が、領域Ｒ１で示される液晶配向を有する領域での斜め透過率を示し、領域Ｒ２の液晶配向を有する領域の斜め透過率も曲線１と同じだが、縦軸において反射が行われているとする。
【００７１】
上記のように、第１（広）モードでは、隣接する領域同士、例えば図１の領域Ｒ１，Ｒ２は、観察者から視認できない。これら領域Ｒ１，Ｒ２が視認不可であることから、観察者は、全ての視野角において、２つの領域Ｒ１，Ｒ２の透過率の平均値を見ることになる。図２の曲線２はこの場合の角度透過率関数を示す。該透過率関数は、許容範囲内における視野角の全体にわたって変化する、図２の曲線２で表される。
【００７２】
上記のように、第２（狭）モードにおいて、ＶＡＮ領域Ｒ５，Ｒ６の大きさは次のようになる。すなわち、２つのドメインの平均ではなく、特定の視野角における２つの領域の透過率の差を、観察者がドメインを区別できるパターンとして視認する。この透過率の差は視野角に対応して増加する。
【００７３】
表示パネル１００の垂線に関して液晶配向が対称であることにより、軸線方向に見たときに領域Ｒ５とＲ６とが同じ透過率を示すので、軸線方向の観察者には、領域の違いは視認されない。画像は、液晶層１０５にスイッチング電圧Ｖ１を印加する通常の方法によって、表示される。
【００７４】
垂直方向からそれると、領域Ｒ５，Ｒ６は同じ印加電圧に対して異なった透過率を示す。よって、軸外の観察者は、異なった明るさのパターンとしてＶＡＮ領域のパターンを見ることになり、該パターンが下にある画像を不明瞭にする。第２（プライベート）モードにおける、２つの領域のコントラストが図２の曲線３で示される。曲線３が示しているのは、各視野角における、隣り合う領域Ｒ５，Ｒ６の透過率の差である。
【００７５】
このように、本発明の第１実施形態では、付加的な層を設けることなく液晶層１０５自体をスイッチングすることにより、良好なプライバシー保護機能が実現される。
【００７６】
上記の液晶層１０５の電界を用いたスイッチングに代えて、あるいはそれとともに、配向層もスイッチングされることで、広／狭モードを実現してもよい。配向のスイッチングする方法の１つとして、Kim et al., “Surface alignment bistability of nematic liquid crystals by orientationally frustrated surface patterns”, Applied Physics Letters, Vol 78, Is 20 (2001) 3055が記載する、配向層の極細パターニングを用いる方法がある。この他に、微細周期構造からなる配向層を用いる方法が、欧州特許出願公開第０８５６１６４号や、“Controllable alignment of nematic liquid crystals around microscopic posts: Stabilization of multiple states” Applied Physics Letters, Vol 80, Is 19 (2002) 3635に記載されている。該微細周期構造により、さらに、双安定または多安定の液晶配向が実現できる。さらに他の方法として、米国特許第６，５４９，２５５号は、配向特性が印加される電界によって切り替わる、高分子配向層を用いることを記載している。
【００７７】
本発明の第２実施形態も、図３ないし図１２を参照して以下に記述するように、パブリックモードとプライベートモードとの切り替えに、面内液晶切換方法を利用する。
【００７８】
図３は、本発明の第２実施形態を説明するために用いる、画像表示システム１を示すブロック図である。画像表示システム１は、画像処理装置１０と、画像コントローラ２０と、表示装置３０とを有する。表示装置３０は、表示パネル３２と非線形部材３４とを有する。第２実施形態の液晶表示パネル２００は図４に示されており、下記に示すように、図３の表示パネル３２と非線形部材３４とに代わるものである。図３において、表示装置３０の表示パネル３２に、原画像Ｉが表示される。該原画像Ｉは複数の画像要素によって表現されるが、該画像要素は、表示パネル３２の画素あるいは副画素に対応する。原画像Ｉが表示装置３０に直接表示される場合、該画像は、軸上である位置Ｐ１の観察者からも、軸外である位置Ｐ２の観察者からも、視認可能である。第１位置Ｐ１と第２位置Ｐ２とは、それぞれ第１観察領域Ｒ１と第２観察領域Ｒ２の中にある。
【００７９】
本発明の第２実施形態では、表示装置３０に対して位置Ｐ１に位置する第１観察者の見る画像は、原画像Ｉと略同じであり、一方、表示装置３０に対して位置Ｐ２に位置する第２観察者の見る画像は、原画像Ｉと異なっている。このためにマスキング画像Ｍが用いられるが、このマスキング画像Ｍについては第２実施形態の第１例で説明する。
【００８０】
図５ないし図９を参照して、第２実施形態の第１例の動作を説明する。図５は、第２実施形態の第１例において、画像処理装置１０が行う動作を概観するフローチャートである。画像処理装置１０が実行する工程の詳細について論じる前に、図６、７を参照して、本発明の実施形態の基礎をなす概念について、より一般的な形で説明する。
【００８１】
観察者が、表示装置３０の表示パネル３２から所定の距離よりも遠く離れている場合、観察者は、表示されている各画素あるいは各画像要素を視認することができない。この場合の適切な観察者と表示装置との距離の見積もりについての指標は、“Color and Light in Nature”, D. Lynch & W Livingston, Cambridge University Press, 1995に記載されており、これによると、目の分解能は１アーク分が限界である。これを本実施形態にあてはめると、２つの画素または画像要素が、１アーク分未満の角度であることが望ましい。これは、あくまで指標であって、状況が違えば分解能も変わってくる。
【００８２】
各画素または画像要素それぞれを視認する代わりに、人間の目は、表示された画像要素の局在的な集合を空間的に平均して、単一の総合的輝度を知覚する。画像要素の局在グループは、原画像中の画素要素とは必ずしも対応しない。これは、例えば、画素要素が、表示前に飛び越し走査されるあるいは他の方法で再配置されることによる。本発明の第２実施形態はこのことを、表示装置３０のデータ値／輝度応答性（以下で説明）とともに利用する。
【００８３】
図６（Ａ）は、同じデータ値を持つ２つの画像要素を有する、上記のような局在グループを図示する。表示の前に、本発明の実施形態の画像処理装置１０は、原データ値を互いに等しい新規データ値に分割して、画像要素のうちの一方のデータ値が、原データ値から分割量を引いた値と等しくなるようにし、他方の画像要素のデータ値が、元のデータ値に分割量を足した値と等しくなるようにする。
【００８４】
線形のデータ値／輝度応答性を持つ表示装置で表示がなされると、観察者は局在グループの２つの修正後データ値を知覚して、修正なしの場合の画像要素と同じ全体輝度を得る。これは、表示装置の線形応答により、単一の原データ値が、２つの修正された画像要素の平均輝度と同じ輝度を表すからである。これについては図６（Ｂ）および図７（Ａ）が図示している。
【００８５】
一方、局在化グループの修正後の画像要素が、表示装置に対して所定の位置にいる観察者への非線形データ値／輝度応答性を有する画像装置に表示されるとき、それら画像要素の輝度は、観察者の目で空間的に平均化されることはなく、修正がなされていない画像要素と同じ輝度となる。代わりに、観察者は、単純な平均値から表示装置の非線形性に対応する量の分だけ変化した輝度を知覚する。この点については図７（Ｂ）および図６（Ｃ）に示されている。
【００８６】
通常、液晶表示（ＬＣＤ）装置の画素に印加されるスイッチング電圧は、軸上で観察する場合に、画素に送られるデータの変化が観察される輝度を比例的に変化させるように、補償される。しかし、パネル３２の法線方向以外の角度でパネル３２を通過する光は、液晶（ＬＣ）内を違う光路長で通過するため、その光に与えられる効果も異なってくる。この光路長の変化によって、画素データと軸外で観察される輝度との関係が非線形になる。
【００８７】
このことにより、表示パネル３２の略法線方向である第１位置Ｐ１に位置する観察者に対する、データ値／輝度応答性は、略線形となり、そのような観察者が知覚する画像は、空間的平均化の後、原画像と略同じになる。
【００８８】
一方、表示パネル３２に対して軸外の第２位置Ｐ２に位置する観察者に対する、データ値／輝度応答性は、非線形となり、そのような観察者が知覚する画像は、空間的平均化の後、原画像とは違うものになる。
【００８９】
第１データ値／輝度応答性と第２データ値／輝度応答性との違いとして求められるものは、表示装置そのものの特性に固有である場合がある。しかし、表示装置によっては、液晶の非線形性を除去して、軸上と軸外の応答性を両方線形にすることで、補償を行うものもある。そのような装置に対しては、表示装置の観察特性を修正する図３に示す非線形部材３４を用いて、軸外での非線形性を再導入してもよい。非線形部材３４は、パターン化されていない単純な液晶層でよい。非線形部材３４も切り替え可能であってよいが、これにより、非線形部材３４を必要なときにのみ作動させることができる。しかし、軸上と軸外とでもともと異なる輝度応答性を有する表示装置は、性能向上が見込まれるにしても、非線形部材３４を必ずしも必要としない。
【００９０】
上記とは別の方法であって、本発明の第２実施形態でとられる方法では、液晶パネル自体が２つの動作モードの間で切り替えられるようになっており、一方のモードでは表示装置は一定の輝度応答性を有し、もう１つのモードでは表示装置は観察者Ｐ２に対して非線形輝度応答性を有する。このようにして同じ効果が得られるが、非線形部材３４をさらに追加する必要はない。本発明の第２実施形態におけるパネル内切換によって、軸外での非線形データ値／輝度応答性を、上記の同時係属出願が開示する方法において用いることができるようにする。さて、以下で第２実施形態の表示パネルを、図４を参照してさらに詳しく説明する。
【００９１】
図４において、第１配置Ｃ１は４ドメイン（４領域）ツイステッドネマティック（ＴＮ）構成であり、４つの領域Ｒ１１〜Ｒ１４が図示されている。領域Ｒ１１〜Ｒ１４はそれぞれ異なるＴＮ構成を有し、それぞれ他の構成と比較して９０度配向が異なっている。
【００９２】
第２配置Ｃ２は、２ドメイン（２領域）ツイステッドネマティック（ＴＮ）構成であり、２つの領域Ｒ１５，Ｒ１６が図示されている。領域Ｒ１５は領域Ｒ１１，Ｒ１２と同じ場所を占めており、領域Ｒ１６は領域Ｒ１３，Ｒ１４と同じ場所を占めている。領域Ｒ１５のＴＮ構成は、領域Ｒ１６のＴＮ構成と比べて、配向が１８０度異なっている。
【００９３】
４領域液晶配置Ｃ１は、液晶配向に、例えばマルチラビングまたは光配向によりパターニングを施すことによって作られる。第１（広）モードにおいて、４領域の平均輝度は、斜めの透過光に対して線形のデータ値／輝度応答性を有する。このモードでは、光が、それぞれ異なった液晶構成を有する４領域全てを通過する。各領域について、傾斜した角度で進む光の透過率が線形のデータ値／輝度応答性を持つ方向と、傾斜した角度で進む光の透過率が非線形のデータ値／輝度応答性を持つ、他の方向とがある、しかし、４領域の透過光が平均化されることで、全体としてのデータ値／輝度応答性は、全ての方向について略線形となる。
【００９４】
第２（狭）モードでは、配向は２領域ＴＮ配置Ｃ２に切り替えられ、各領域は、水平観察平面（紙面に対して法線方向で、紙面の上端と下端とに平行な平面）において、データ値／輝度応答性が斜めの透過光について非線形になるように、配向される。このモードでは、領域Ｒ１５とＲ１６の両方は、斜めに走行する光の透過率が非線形のデータ値／輝度応答性を持つ方向が、水平観察平面上にあるように構成される。よって、２つの領域の応答性の平均である、全体的なデータ値／輝度応答性は、非線形となる。このモードが上記同時係属出願が開示する画像処理方法と組み合わされると、良好なプライバシー保護機能が実現される。
【００９５】
配向のスイッチングする方法の１つとして、Kim et al., “Surface alignment bistability of nematic liquid crystals by orientationally frustrated surface patterns”, Applied Physics Letters, Vol 78, Is 20 (2001) 3055に記載された、配向層の極細パターニングを用いる方法がある。この他に、微細周期構造かなる配向層を用いる方法が、欧州特許出願公開第第０８５６１６４号や、Kitson and Geisow, “Controllable alignment of nematic liquid crystals around microscopic posts: Stabilization of multiple states” Applied Physics Letters, Vol 80, Is 19 (2002) 3635に記載されている。該微細周期構造により、さらに、双安定または多安定の液晶配向が実現できる。さらに他の方法として、米国特許第６，５４９，２５５号は、配向特性が印加される電界によって切り替わる、高分子配向層を用いることを記載している。
【００９６】
上記の実施形態に示す配向層の切換に代わってまたは加えて、液晶層は、電界によって広観察モードと狭観察モードとの間で切り替えられてもよい。例として、電界を液晶層全体にわたり印加する、電界を液晶層の平面に印加する、あるいは弱電界をパターン化された電極から印加する。
【００９７】
第２実施形態の第１例の動作を、図５、図８および図９を参照してさらに詳しく説明する。
【００９８】
原画像Ｉ中の画像要素は、通常０から２５５の範囲のいずれかの値をとる。これにより、図６を参照して説明した、最小あるいは最大データ値に近いデータ値の分割により、潜在的に、修正されたデータ値が通常のデータ値の許容範囲をはずれてしまう可能性がある。これを阻止するために、第２実施形態の第１例のステップＳ１では、原画像Ｉは倍率が変更されてデータ値が中央に移動され、これによって該原画像Ｉは新規の圧縮されたデータ値を得る。これについては図８の上半分で示している。ステップＳ２では、マスキング画像Ｍのデータ値範囲が倍率変更されて、最小データ値が０となり最大データ値が倍率変更された原画像の最小値と等しくなる。これについては、図８の下半分で示している。
【００９９】
図９は、倍率変更された原画像Ｉと倍率変更されたマスキング画像Ｍの例を示す断面図である。任意の地点におけるマスキング画像のデータ値は、倍率変更された原画像Ｉの対応する部分における画像要素についての分割のレベルを決定するために用いられる。分割のレベルは、マスキング像Ｍの倍率変更データ値に比例し、倍率変更原画像Ｉの隣接する画像要素が、倍率変更マスキング画像Ｍによって決定される分割レベルによって、それぞれ増加、減少させられる。図９の右半分は、倍率変更された原画像Ｉとマスキング画像Ｍとの組を図示し、マスキング画像Ｍが最大である部分にて分割の度合いが最大になる。
【０１００】
第２実施形態の第１例において、分割量は、まず、倍率変更マスキング画像Ｍのデータ値の半分をステップＳ３で反転し、次に、ステップＳ４で、ステップＳ３で得られたデータ値のパターンを倍率変更原画像Ｉに加えることで、倍率変更原画像Ｉに対してそれぞれ加えられ、差し引かれる。こうして生成された画像が、ステップＳ５にて、観察者に観察される。軸上に位置する観察者は、倍率変更原画像と略同じである、空間的平均化後の画像を知覚することになり、一方、軸外のＰ２に位置する観察者は、原画像と異なっており、少なくともある程度はマスキング画像Ｍに似ている画像を知覚する。良好なプライベートモードを実現するためには、マスキング画像は、軸外の観察者に対して視覚的にかなり分かりにくくさせるようなものであればよい。
【０１０１】
本発明の第２実施形態の第２例について、図１０を参照して説明する。第２実施形態の第２例は、第１実施形態の第１例と同じく図３の装置を使用するため、ここでの説明は簡潔なものにとどめる。第２実施形態の第１例と第２例との相違点は、原画像Ｉとマスキング画像Ｍとが倍率変更・合成される方法にある。第２実施形態の第１例では、データ値の範囲が狭くなるような原画像Ｉの倍率変更が、画像のコントラストの低下を招いたが、第２実施形態の第２例で行われる方法では、原画像のコントラストは犠牲にならない。
【０１０２】
第２実施形態の第２例では、分割の度合いはある程度まで、特定の画像要素のデータ値が、どれくらい許容されるデータ値範囲における最も近い端から離れているかによって、決定される。上記範囲の中心のデータ値を有する画像要素が最も多く分割され、一方０または２５５に近い画像要素が最も少なく分割される。範囲の両端の値を持つ画像要素は全く分割されない。これにより、修正後のデータ値が、供されたデータ値の範囲から出ることがなくなる。
【０１０３】
よって、第２実施形態の第２例では、原データ値と最大または最小データ値のいずれか近い方との差が計算され、これによって分割の最大レベルが効果的に設定される。これについては図１０の上半分に図示されている。
【０１０４】
次に、原画像Ｉと結合される倍率変更後のマスキング画像Ｍを各画像要素が生成できるような分割の最大レベルに基づいて、マスキング画像Ｍの倍率変更が行われる。実際の結合は、第２実施形態の第１例に示したものと同様に行われる。
【０１０５】
このため、第２実施形態の第２例における全体的な過程は、第１実施形態の第１例の過程と類似している。図５を参照すると、第２実施形態の第２例ではステップＳ１が設けられておらず、ステップＳ２におけるマスキング画像Ｍの倍率変更は、上記のように図１０にしたがって上記のように行われる。第２実施形態の第１例と比較すると、第２実施形態の第２例では、図形を含む画像に対して強い効果を及ぼすが、一方、飽和した画素はほとんどまたは全く分割されないため、完全に白黒の文字に関しては第２実施形態の第２例はほとんど効果をもたらさない。
【０１０６】
上にあるいは下に分割されるなど、対応する修正を施された画像要素は、図１１（Ａ）に示すように、表示装置３０の行に対応するように配置されてもよい。この他に、画像要素は、列に対応するように配置されてもよく、図１１（Ｂ）にあるように格子縞模様に対応するように配置されてもよい。図１１（Ａ）および図１１（Ｂ）に示す構成によって、各画像要素は３つの別々のＲＧＢ色成分を有し、各色成分はデータ値によって表される。画像要素の各データ値も同様にして修正される。
【０１０７】
上記とは別に、各画像要素が３つの別々のＲＧＢ色成分を有するとき、各色成分は独立して扱われて、同じ画像要素の別の色成分データ値が、それぞれ異なって分割されてもよい。この構成の一例が図１１（Ｃ）に示される。
【０１０８】
このほかにも、原画像Ｉとマスキング画像Ｍとを結合される方法は考えられる。例えば、第２実施形態の第１例のように、原画像Ｉのコントラストを減少させる一方、圧縮された現画像Ｉの値を中央に移動させるのではなく、非対称な圧縮と分割を行うようにしてもよい。これにより、明領域または暗領域のコントラストが優先的に保持されることになり、マスキング画像Ｍは第２実施形態の第１例と同様に圧縮されるが、同時に該画像Ｍは、修正されたデータ値が許容されたデータ値の範囲を超えないように、原画像に基づいて倍率変更される。これ以外の方法も当業者にとっては自明であり、また、上記方法のいかなる組み合わせも利用可能である。
【０１０９】
一般的に、表示装置３０の軸上輝度応答性は線形だと考えられるが、データ値の均等な分割は、観察者は原画像と略同じ空間的平均化後の画像を見ることになるので、実際の軸上輝度応答性が非線形である場合、これを考慮することによって分割は容易に補償され、軸上の観察者はやはり原画像と略同じ空間的平均化後の画像を見ることになる。
【０１１０】
マスキング画像Ｍは、用途によってどんな種類のものでも使用することができる。例えば、マスキング画像は、カラーまたは白黒の格子縞模様であってもよく、あるいは、パブリック／プライベートモード用のランダムなノイズであってもよい。マスキング画像は、特定の種類の表示装置、または特定位置にある観察者に対してのみ表示される、ロゴ、画像、文字、あるいはその他の形態の情報を含んでいてもよい。動画のマスキング画像も用いることができる。
【０１１１】
１つのグループ内の画像要素、例えば図６（Ａ）ないし図６（Ｃ）に示される２つの画像要素は、マスキング画像に追加する前、およびマスキング画像から差し引く前に、平均化することができる。あるいは、同じ値を用いると考えてもよい。表示画像に対して位置合わせをしていないマスキング画像は、マスキング画像Ｍの対応するデータ値に応じ、異なる量で局在グループ内の画像要素を分割することもある。１つのグループ内の画像要素の両方、あるいはすべてに対し、同じ程度の分割値を加えることにより、マスキング画像データ値を平均化することもできる。また、ともに平均化される画像要素の数は、２つ以上であってもよい。図６を参照して説明した上記例では、画像要素はペアとして考えられているが、画像要素の局在グループに、画像要素はいくつあってもよい。ただ、画像要素の局在グループが、軸上にある観察者によって視認されなければならない。これは、画像要素を修正せず、全体輝度が略同じととなるように空間平均化することによって行われる。空間的に平均化された画素は順次反転される。この結果、ある１フレーム内で、画素にはマスキング画像が追加され、それに続くタイムフレームでは、マスキング画像は差し引かれる（時間的に前後するタイムフレームで反転は同等に行われる）。
【０１１２】
上記第２の実施形態では、表示された画像要素の局在グループについて述べているものの、この概念は適切な空間平均化を行うことに有用だが、必ずしも画像要素を個別のグループ単位で処理することを意味しない。画像要素に対して、グループ化することなく、修正の適切な大域パターンによって、局在的な空間的平均化がなされてもよい（例えば図１１（Ａ）ないし図１１（Ｃ）参照）。
【０１１３】
マスキング画像は、滑らかに変化するデータ値を有することが望ましい。これは、急激な変化が、ある状況において軸上で認識された画像に軽微な影響を与えることがあるからである。図１２は、マスキング画像の急激な変化が、どのような副作用を知覚された画像にもたらすかを示している。この副作用は、第２実施形態の方法を適切に修正することで相殺できる。例えば、処理前の段階でマスキング画像に変更を加えて上記副作用をなくすまたは減少させる、あるいはマスキング画像を結合するためのアルゴリズムを変更して上記副作用をなくすまたは減少させる、などである。
【０１１４】
要約すると、第２実施形態の表示装置は、空間光変調によって画像を表示する液晶表示パネルと、パネル内の液晶を、パネルに表示される画像を視野角の広い範囲で観察可能にする第１（パブリック）モードの第１配置と、パネルに表示される画像を視野角のほぼ狭い範囲のみで観察可能にする第２（プライベート）モードの第２配置との間で切り替える、回路とを有する。第２配置の液晶は、上記狭い範囲の外の観察者が視認する画像に画像撹乱パターンが見えるように構成されている。第１配置の液晶は、少なくとも２つの異なる液晶構成のうちの１つをそれぞれ持つ、複数の水平方向の領域を有する。第１配置の領域は、観察者によって解像されない大きさを有する。第２配置の液晶は、少なくとも２つの異なる液晶構成のうちの１つをそれぞれ持つ複数の水平方向の領域か、あるいは１つの領域を有する。第２配置の液晶は、視野角の狭い範囲については線形のデータ値／輝度応答性を有し、視野角の狭い範囲の外については非線形のデータ値／輝度応答性を有する、表示パネルのために設けられている。第１配置の領域は、狭視野角外の角度で走行する光が、異なる構成を有する少なくとも２つの領域を通過して、略線形のデータ値／輝度応答性を有するように、設けられる。第２配置の領域は、狭視野角外の角度で走行する光が、略非線形のデータ値／輝度応答性を有するように、設けられる。
【０１１５】
上記のように、本発明の第２実施形態の第１例において、隣接するデータ値を修正して、線形に（軸上で）表示装置を見た場合、画像が人間の目によって原画像と同じように見えるように空間的平均化が行われ、非線形に（軸外で）表示装置を見た場合、分割レベルの要素を用いるように、画像を生成する。分割のレベルが画像内で第２画像と比例した割合で変化する場合、軸外では原画像と第２画像とがともに視認できる。第２画像とは、上記のマスキング画像Ｍである。マスキング画像Ｍが、格子縞模様や企業のロゴなどの撹乱パターンを有する場合、軸外の観察者に対しては、原画像はほぼ隠される。これによってプライベートモードが実現され、軸上の観察者は覗き見されることなく原画像を見ることができる。
【０１１６】
本発明の第２実施形態は、視野角制限を可能にする電子的切換方法を提供する。許可されていない観察者をさらにかく乱するための動画など、用途に合ったマスキング画像を使用することができる。第２実施形態では、公知技術のようにシヤッター式眼鏡を使用する必要がなく、表示装置の全体または一部分に利用することができる。両方の平面について非線形性があれば、プライバシー機能が水平方向と垂直方向の両方で達成できる。プライバシー保護のレベルと範囲は、表示されるコンテンツによって異なり、分割のレベルを変更することで、視野角制限の度合いの変更も可能である。本発明の実施形態により、視野角制限の切換を行うための低コストな切換システムが実現できる。
【０１１７】
第２実施形態の画像処理部は、ハードウェアでもソフトウェアでも、あるいはそれらの組み合わせでも実現できる。第２実施形態を実行するための動作プラグラムは、コンピュータが読取可能な記録媒体に記録されてもよい。また、本発明を具現する動作プログラムはコンピュータが読取可能な記録媒体に記録される必要はなく、例えば、インターネットからダウンロード可能なデータ信号などの信号に具現化されていてもよい。以下のことを特徴とする請求項は、動作プログラムそのもの、搬送波による記録、信号、その他の形式をも包含するものである。
【０１１８】
第２実施形態の画像処理技術は、プライベートモードの効果を向上すべく、本発明における他のいかなる実施形態とも組み合わせて利用可能である。この点について、本発明の各実施形態の表示パネルは、少なくともある程度まで、プライベートモードに対して少なくとも多少はプラスになるような画像処理方法において要求される、非線形特性を有している。
【０１１９】
図１３は、本発明の第３実施形態において、液晶表示パネル３００を有する表示装置を示す。第３実施形態では、液晶表示の第１（広）モードは、第１組の（面内）電極３０７，３０８を用いて、液晶層３０５を液晶層と平行な電界で切り替えることで実現される。このような面内切換（ＩＰＳ）は、視野角が広いことで知られている。第１（広）動作モードの配置Ｃ１が、図１３の上半分の、１つの液晶面内切換セルの平面図に示されている。
【０１２０】
第２（狭）動作モードは、第２組の電極３０１，３０３を用いて液晶の全体にわたり電界を印加して液晶層３０５を切り替える（電気制御複屈折切換あるいはＥＣＢ切換）ことで、実現される。面外で液晶層３０５を切り替えることで、狭視野角が得られる。第２（狭）動作モードの配置Ｃ２は、１つの液晶ＥＣＢ切換セルの側面図である、図１３の下半分で示されている。
【０１２１】
これとは別に、本発明の実施形態における第１（広）観察モードと第２（狭）観察モードとは、液晶パネルの２つの異なる電圧範囲で駆動することによっても実現できる。このような構成に好適な装置が図１５に示され、これに関する視野角特性が図１７に示される。
【０１２２】
第４実施形態を、図１４（Ａ）ないし図１７を参照して説明する。本実施形態では、切換可能なプライバシー設定が、図１４（Ａ）と図１４（Ｂ）で範囲Ａ，Ｂとして示される２種類の電圧範囲を有する、ＬＣモードを用いて実現される。範囲Ａ，Ｂは、軸上では類似した階調変化を示すが、図１４（Ａ）と図１４（Ｂ）で範囲Ａとして示される単一の電圧範囲は、軸外でも通常の階調変化を示す。パブリックモードでは、軸上（図１４（Ａ））でも軸外（図１４（Ｂ））でも通常の階調変化を示す電圧範囲Ａが用いられ、全ての視野角にて質の高い画像が観察できる。プライベートモードでは、第１電圧範囲Ａを用いて軸上で（図１４（Ａ））所望の階調を実現する画素と、第２電圧範囲Ｂを用いて軸上で（図１４（Ａ））同じ階調を実現する画素とがある。第１電圧範囲Ａを用いる画素は、軸上でも軸外でも通常の状態で視認される（例では、図１４（Ａ）と図１４（Ｂ）それぞれの右側に示される画素で、電圧範囲Ａと矢印でつながれている）。一方、第２電圧範囲Ｂを用いる画素は、軸外では通常の状態では視認されない（図１４（Ｂ）の右側に示される画素で、電圧範囲Ｂと矢印でつながれている）。第１電圧範囲Ａと第２電圧範囲Ｂとを用いる画素をパターニングすることで、軸外では画像撹乱パターンが見えることになる（図１４（Ｂ）の右側の画像例参照）。
【０１２３】
このような階調応答の例を図１４（Ａ）と図１４（Ｂ）が示している。軸上の各階調（図１４（Ａ））において、二種類の電圧が使われる。しかし、これら二種類の電圧は、軸外では同じ階調を表さない（図１４（Ｂ））。第１電圧範囲Ａと第２電圧範囲Ｂとを用いる画素をパターニングすることで、軸外では画像撹乱パターンが見えることになる（図１４（Ｂ））。軸上の視野角では、電圧範囲Ａ、Ｂとも同じ階調を示すので、該パターンは視認されない。
【０１２４】
したがって、第４実施形態において、２つの電圧範囲が軸上における同様の階調を達成するのに用いられ、１つの電圧範囲は軸外における通常階調変化をもたらし、もう１つの電圧範囲は軸外における異常階調をもたらすものである。第１電圧範囲内のみでパネルを駆動すると、全ての角度において良好な視野が実現できる。第２電圧範囲においてパネルを駆動すると、軸外に異常視野が発生する。軸外における異常視野によって軸外の観察者が視認する画像を撹乱するパターンを生成するように第１および第２電圧範囲を用いる画素をパターニングすると、プライバシーの保護がより好適に確保できる。
【０１２５】
以下に、図１８（Ａ）および図１８（Ｂ）を参照して、本発明の第５実施形態を説明する。第五実施形態において、第２配置（プライベートモード）における液晶配向の数や特徴は、第１配置（パブリックモード）に修正を加えたもので、第２配置（プライベートモード）で表示される画像は、第１配置（パブリックモード）よりも狭い視野角範囲で視認可能である。液晶領域の配向数の切り替えは、面内電界を用いることにより行われる。
【０１２６】
ここで採用される液晶モードは、連続風車配向（ＣＰＡ）モードである。当該モードにおいて、電圧無印加時には液晶分子が垂直に配向する。略均一の電界が印加されると、画素の端部における弱電界とともに電極表面のリベット突起によって、突起の対向する辺において対称的に傾き合う液晶配向の組が生成される。これらの配向の組は、液晶層に対して法線方向から観察した時、連続した「風車」構造となるように配置される。連続風車液晶配向の平均によって、全ての方位角方向における本質的に広い視野角を得ることができる。この第１配置を図１８（Ａ）に示す。以下に説明するように、電極はセグメント化されるが、略均一な電界を達成するために、略同じ電圧が電極の各セグメントに印加される。図１８（Ｂ）に示すように、第２(狭)視野角構成は、電極をパターニングし、異なる電極セグメントに異なる電圧を印加することによって生成される。パターン化された電極は、実質的に液晶層の面内においてさらなる電界を生成する。これらの面内電界は、液晶配向における突起の影響を受けず、配向数を減少させる。例えば、図１８（Ｂ）に示される例において、配向数は２まで減少される。上記２つの液晶配向の平均によって、ある方位角方向に対する広視野角と、他の方位角方向に対する狭視野角が得られる。
【０１２７】
したがって、第１（広）視野角構成において、パターン化された電極は、所定の画素内で略同じ電圧に設定され、上記突起は、連続風車液晶配向を生成する。第２（狭）視野角構成において、液晶配向の数や特徴を修正するために、隣接する面内電極間に電圧を印加する。
【０１２８】
面内電極セグメントにおける配向は、観察者に視認可能なほどの充分な倍率で領域ごとに生成することができる。特定の方位角方向については、これらのうちいくつかの領域は広視野角を有し、他の領域は狭視野角を有する。したがって、軸外の観察者は、異なる明度のパターンとしてこれらの異なる領域を認識する。この画像撹乱パターンは、その下にある画像を見えなくする。
【０１２９】
パターン化された面内電極セグメントが、薄膜トランジスタ（ＴＦＴ）電極ではなく、画素用接地電極を構成する。この場合、増加電圧マイナスΔＶは、面内電極のうち半分に印加することができ、プラスΔＶは、面内電極の残り半分に印加することができる。この増加電圧は、面内電界を生成するが、ゼロボルト（接地）での液晶層の１辺における平均電圧はそのまま残す。１つの増加電圧ΔＶは、第１（広）視野角構成から第２（狭）視野角構成への切り替えを行うために、パネル全体にわたる全ての面内電極に印加することができる。両構成の切り替えを行うのに、さらにＴＦＴを追加する必要はない。
【０１３０】
液晶配向の数や特徴を修正するのに必要な面内電極セグメントにおけるピッチは、液晶モードに応じて変化する。上記ピッチは、液晶層の層厚と略等しい状態から、各画素に対して２つの面内電極セグメントしかない状態へと変化する。各画素に対して２つの面内電極が設けられる場合、これらは画素の端部に位置してもよいし、あるいは画素の光透過開口の外側に位置してもよい。一般的に、第１液晶構成を形成する傾向が強いほど、第２液晶構成への適切な切り替えに、１画素あたりにより多くの電極セグメントが必要となる。
【０１３１】
以下に、図１９（Ａ）、図１９（Ｂ）および図２０を参照して、本発明の第６実施形態を説明する。本実施形態において、周期的な微構造からなる配向層は、広視野角範囲を有する第１配置と狭視野角範囲を有する第２配置との切り替えを行うのに用いられる。
【０１３２】
格子配列ネマティック液晶セルには、周期的な微構造のため、ほぼ垂直配向の連続液晶ディレクタ構造と、ほぼ平面配向の“欠陥”構造とに切り替え可能な表面を有するものがある。これらの状態は双安定性で、両状態の切り替えは、ディレクタ領域における傾斜／屈曲領域に対してフレキソ電気状態で接続するＤＣ電界パルスによって行われる。本実施形態において、連続風車配向（ＣＰＡ）において用いられる表面によって、印加された高周波電界に基づいて画素中央に対する放射状ディレクタ配分が行われる通常の垂直配向ＶＡＮ構造と、格子による優先配向方向が上記放射状配分を阻害するハイブリッド配向ネマティック（ＨＡＮ）状構造との切り替えが行われる。これらはそれぞれ、図１９（Ａ）および図１９（Ｂ）に示される。
【０１３３】
連続状態から欠陥状態への切り替わりにおいてＤＣパルスが必要となるので、階調制御を行うのに、ＡＳＶ画素で用いられる通常のＡＣ印加電界が使用できる。連続状態における放射状ディレクタは、全方位に対して本質的に広視野角を与える。一方、２つの“ＨＡＮ状”液晶配向は、ある方位角方向に対して広視野角を与え、他の方位角方向に対して狭視野角を与える。周期的微構造の配向は、観察者が視認し得るのに充分な倍率で領域にパターニングできる。特定の方位角方向に関しては、上記領域のうちのいくつかは広視野角を有し、他の領域は狭視野角を有する。それゆえ、軸外の観察者は、異なる明度のパターンとして異なる領域を視認することとなる。
【０１３４】
中央の“リベット”突起とともに放射状ディレクタ配分を促進する、画素端部における弱電界は、欠陥状態において有効となる。このため、欠陥状態において、より直線的なディレクタ配向への切り替えが阻害されるおそれがある。その結果、上記セルの下方基板における電極領域は、可視領域からこれらの弱電界効果を除去するために、画素における光透過開口を超えて拡大してもよい。これは、視野角の限定をサポートするためにディスプレイが欠陥状態にある時にオンとなる、補助電極領域を設けることによって達成される。当該構成は図２０に示す。
【０１３５】
以下に、図２１を参照して、本発明の第７実施形態を説明する。第７実施形態において、ディスプレイは、それぞれが狭視野角ＬＣモードを有する部分と、広視野角ＬＣモードを有する部分に細分化される画素からなる。２つの異なるＬＣモード部分は、別々の列に配置されていてもよいし（図２１を参照）、他の状態でパターニングされていてもよい（例えば、格子縞模様）。ＬＣモードのうち１つは、本質的に広視野角特性を有し、もう一方は、本質的に狭視野角特性を有する。広視野角モードの例としては、面内切り替え（ＩＰＳ）が挙げられ、狭視野角モードの例としては、電気制御複屈折（ＥＣＢ）モードが挙げられ、第７実施形態は第３実施形態と同様のものと考えることができる（したがって、第３実施形態と第７実施形態との異なる部分のみを説明する）。広ＬＣモードおよび狭ＬＣモードが、図２１に示す交互に並ぶ列に配置される場合、広・狭視野角サブ画素が各画素に対して設けられている。
【０１３６】
パブリックモードにおいては、広視野角ＬＣモードを有する画素のみが動作するように表示パネルを操作してもよい。あるいは、広狭両視野モードの画素は、同時に操作してもよいので、軸上に位置するユーザーは、空間解像度の２倍の解像度で画像を視認できるという利点を得ることができる。プライベートモードにおいては、狭視野角ＬＣモードを有する画素のみが動作するように表示パネルを操作してもよい。あるいは、ある領域では狭視野角ＬＣモードを操作し、他の領域では広視野角ＬＣモードを操作することによって、プライバシーパターンを生成する。軸外の観察者は、異なる明度のパターンとして異なる領域を視認することとなる。
【０１３７】
以下に、図２２〜図２５を参照して、本発明の第８実施形態を説明する。上記第４実施形態と同様の第８実施形態は、軸上における同様の階調と軸外における異なる階調を達成するために、２つの異なる電圧領域を用いる。
【０１３８】
連続風車配向（ＣＰＡ）モード液晶ディスプレイ（ＬＣＤ）について、放射状配分ディレクター構造が、画素中央の上部セル表面における突起“リベット”と、下方基板における正方形の電極領域からの弱電界とによって誘発される。下方基板は、薄膜トランジスタ（ＴＦＴ）アレイを有し、上方基板は、接地電極を有する。
【０１３９】
第８実施形態において、共通接地電極は、図２２の平面図で示すように、それぞれが各サブ画素風車領域の１辺を覆う、２つのかみ合い電極に分割される。同等かつ反対のバイアス電圧は、サブ画素の各辺に印加される、すなわち、画像を表示するために各画素に印加される駆動電圧はサブ画素の半分について＋ΔＶ分、残りの半分については−ΔＶ分で変換される。このように接地電極をパターニングする利点は、１つのバイアス電圧でΔＶがパネル全体にわたる全ての電極に印加できるということである。また、画素においてさらなるＴＦＴが必要となることもない。
【０１４０】
軸上ＣＰＡ画素から観察した極めて直線的な階調（電圧／輝度）により、駆動電圧の増減はそれぞれ、その平均がゼロボルトのときの共通接地電極で観察される原輝度にほぼ等しい輝度を作り出す。したがって、変化はほとんど起こらず、知覚される画像にも変化は現れない。
【０１４１】
しかし、軸外の観察者にとっては、結果として現れる輝度は、観察者が増加電界を有するサブ画素側に位置するか、あるいは減少電界を有するサブ画素側に位置するか、ということに大きく依存する。電圧応答性におけるこのような非対称は図２３に示されている。この非対称は、観察者に向かって、あるいは離間して傾斜する液晶ディレクタによるものである。
【０１４２】
それゆえ、印加されたバイアスによって、ディスプレイは一方から他方にかけて明るさを増すように見える。かみ合い電極が互い違いに配置され、ディスプレイのある部分では左側にかけて明るさが増し、右側にかけて暗さが増すように見せることができ、残りの領域ではその逆の効果を有する場合、どちら側の観察者に対しても画像撹乱パターンを生成することができ、ディスプレイ上の情報は、軸上の観察者以外の者には隠すことができる。互い違いの配置は、図２４に示すようなものが考えられる。
【０１４３】
ディスプレイの片側に位置する観察者に対する、左側に偏ったサブ画素と右側に偏ったサブ画素との輝度差は、上記撹乱パターンの強さを決定するものである。これは、＋／−バイアス電圧の範囲に関して、携帯電話のＬＣＤと同様に、無色の円偏光子間のＣＰＡ型画素用に演算されていたものであり、図２５に示す初期（バイアスを加えない）階調電圧に対する依存性を有するものであることが知られてきた。これにより、中間明度を有する画像を表示するので、プライバシーを最も好ましい状態で保護できることが分かる。
【０１４４】
上記各実施形態が特定の液晶構成を用いる動作に限定されないことは理解できるであろう。本発明の各実施形態は、以下の液晶ディスプレイのいずれにも適用可能である。すなわち、２あるいは４領域ツイステッドネマティック（ＴＮ）あるいはスーパーツイステッドネマティック（ＳＴＮ）、２あるいは４領域垂直配向ネマティック（ＶＡＮ）およびツイステッド垂直配向ネマティック（ＴＶＡＮ）、２あるいは４領域ハイブリッド配向ネマティック（ＨＡＮ）、マルチドメイン垂直配向（ＭＶＡ），連続風車配向（ＣＰＡ）に適用可能である。さらに、双安定ツイステッドネマティック（ＢＴＮ）、双安定ハイブリッド配向ネマティック（ＢＨＡＮ），Zenthally双安定ネマティック（ＺＢＮ）および格子あるいは他の表面構造により実現される方位角双安定モードなど、本質的に双安定である液晶モードに適用可能である。その他の適切な液晶モードも当業者に利用可能である。
【産業上の利用可能性】
【０１４５】
本発明の表示装置は、例えば携帯電話、パーソナルデジタルアシスタント（ＰＤＡ）、電子的ＰｏＳ（ＥＰｏＳ）キオスク、ノートパソコン、デスクトップモニタなどに搭載されるあらゆるタイプの表示装置に適応可能である。
【図１】
0005389877.tif 000002
【図２】
0005389877.tif 000003
【図３】
0005389877.tif 000004
【図４】
0005389877.tif 000005
【図５】
0005389877.tif 000006
【図７】
0005389877.tif 000007
【図８】
0005389877.tif 000008
【図９】
0005389877.tif 000009
【図１０】
0005389877.tif 000010
【図１２】
0005389877.tif 000011
【図１３】
0005389877.tif 000012
【図２３】
0005389877.tif 000013
【図６】
0005389877.tif 000014
【図１１】
0005389877.tif 000015
【図１４】
0005389877.tif 000016
【図１５】
0005389877.tif 000017
【図１６】
0005389877.tif 000018
【図１７】
0005389877.tif 000019
【図１８】
0005389877.tif 000020
【図１９】
0005389877.tif 000021
【図２０】
0005389877.tif 000022
【図２１】
0005389877.tif 000023
【図２２】
0005389877.tif 000024
【図２４】
0005389877.tif 000025
【図２５】
0005389877.tif 000026